(57)【要約】【課題】箱状パレットに収容されたベールゴムを、上面から掴持して、操作性良く容易に吊り揚げて取り出し、目的位置へ移載可能にした吊り揚げ搬送方法と装置を提供する。【解決手段】吊り揚げ対象のベールゴム５１の上面に当接する爪出入り面９ａを備えた掴み爪格納ケース９内に、基端側から先端側に向けて細径化して先端を尖らせ、中心軸線Ｌを回転駆動の軸線の周りで円弧状に湾曲させた掴み爪８の複数を、水平配置の支持軸１１の周りで上記中心軸線Ｌに沿う方向に回転駆動し、上記面１１をベールゴム上に当てた状態で、複数の掴み爪を突出させ、ベールゴムにその上面から刺入してベールゴムを掴持させる。掴持したベールゴムを掴み爪格納ケースと共に昇降機構により持ち上げたうえで横移動する搬送機構により目的位置に移送する。【選択図】図５
2015196580.tif 000002
【特許請求の範囲】
【請求項１】
吊り揚げ対象のベールゴムの上面に接する爪出入り面を下面側に備えた掴み爪格納ケース内に、基端側から先端側に向けて細径化して先端を尖らせると共に、中心軸線を回転駆動の軸線の周りで円弧状をなすように湾曲させてなる掴み爪の複数を、水平配置の上記回転駆動の軸線の周りにおいて、上記円弧状の中心軸線に沿う方向に回転駆動できるように支持させ、
上記爪出入り面を吊り揚げ対象のベールゴム上に当てた状態で、駆動機構により上記複数の掴み爪をそれぞれ上記爪出入り面に設けた開口部を通して突出させ、該複数の掴み爪をベールゴムに対してその上面から上記円弧状の軌跡を描くように刺入して該ベールゴムを掴持させ、
上記掴み爪で掴持したベールゴムを掴み爪格納ケースと共に昇降機構により持ち上げたうえで横移動する搬送機構により目的位置に移送する、
ことを特徴とするベールゴムの吊り揚げ搬送方法。
【請求項２】
上記掴み爪格納ケースにおける爪出入り面に、ベールゴムとの接触を検知する接触センサの検知端を設け、該接触センサがベールゴムとの接触によって発生する接触信号により、ベールゴムを掴持する駆動機構の作動回路における掴持安全機構を解除し、掴み操作子の操作で上記駆動機構による掴み爪の駆動を可能にして、該掴み爪によるベールゴムの掴持動作を行わせる、
ことを特徴とする請求項１に記載のベールゴムの吊り揚げ搬送方法。
【請求項３】
上記掴み爪格納ケースに、掴み爪で掴持したベールゴムの昇降シリンダによる移載場所への押圧負荷を検知する圧接センサ設け、昇降シリンダによるベールゴムの下降により、該圧接センサに対し掴み爪格納ケースにおける押圧突部が圧接することにより発生する掴持解除信号により、掴み爪によるベールゴムの掴持回路における開放安全機構を解除し、解放操作子の操作で上記駆動機構による掴み爪の掴み動作の解除を可能にして、該掴み爪によるベールゴムの掴持動作の解除を行わせる、
ことを特徴とする請求項１または２に記載のベールゴムの吊り揚げ搬送方法。
【請求項４】
吊り揚げ対象のベールゴムを掴み爪により掴持する掴持装置を備え、該掴持装置における掴み爪格納ケースの下面側を、上記ベールゴムの掴持時にその上面に接する爪出入り面として、該爪出入り面に複数の掴み爪がそれぞれ出没する開口部を形成し、上記掴み爪格納ケース内において、基端側から先端側に向けて細径化して先端を尖らせると共に、その中心軸線を回転駆動の軸線の周りで円弧状をなすように湾曲させてなる掴み爪の複数を、水平配置の上記回転駆動の軸線の周りにおいて上記円弧状の中心軸線に沿う方向に回転するように支持させ、
上記掴み爪の複数を、上記爪出入り面における上記開口部を通してベールゴムの上面から該ベールゴムを掴む態様で上記円弧状の軌跡を描くように刺入させるための掴み爪の駆動機構を、上記掴持装置のフレーム上に設け、
上記掴持装置を、流体圧駆動の昇降シリンダからなる昇降機構を介して、それを横移動させる搬送機構に接続した、
ことを特徴とするベールゴムの吊り揚げ搬送装置。
【請求項５】
上記複数対の掴み爪のそれぞれが、上記掴み爪格納ケース内に配設した水平配置の支持軸の周りで回転する駆動腕に、尖らせた先端が爪出入り面の開口部を通して突出したときに互いに対向するように配設され、該掴み爪の駆動機構が上記駆動腕を支持軸の周りで回転させるように動作させる、
ことを特徴とする請求項４に記載のベールゴムの吊り揚げ搬送装置。
【請求項６】
上記支持軸を、上記上記掴み爪格納ケース内の中央部に水平に架設して、上記掴み爪の複数対の駆動腕を支持させ、
上記駆動機構を構成する掴みシリンダを、上記フレームに対して掴み爪の回転面と平行する平面内で回転自在に支持させると共に、該掴みシリンダのピストンロッドの先端を掴み爪の基端部に回転自在に連結した、
ことを特徴とする請求項５に記載のベールゴムの吊り揚げ搬送装置。
【請求項７】
上記掴み爪格納ケースにおける爪出入り面にベールゴムとの接触を検知する接触センサの検知端を配設すると共に、ベールゴムを掴持する掴み爪の駆動機構の作動回路に、該接触センサがベールゴムとの非接触時に、該作動回路を開いて掴み爪を不作動とする掴持安全機構を配設し、
該掴持安全機構は、上記接触センサにより発するベールゴムとの接触信号により上記不作動を解除し、掴み操作子の操作で上記掴み爪の駆動機構の作動回路を閉じて掴み爪によるベールゴムの掴持動作を可能にするものとした、
ことを特徴とする請求項４〜６のいずれかに記載のベールゴムの吊り揚げ搬送装置。
【請求項８】
上記接触センサを、上記爪出入り面に配設した検知端に対するベールゴムの接触を検知して動作する切換弁により構成し、
該切換弁の動作により出力されるパイロット流体圧を前記接触信号として、上記掴み爪の駆動機構を構成する掴みシリンダへの流体圧の供給流路を、該掴み爪をベールゴムに刺入する方向に切り換える方向切換弁を備えることにより、前記掴持安全機構を構成させ、
上記接触信号の出力状態において、掴み操作子の操作で掴み爪によるベールゴムの掴持動作を可能にする流路が形成されるものとした、
ことを特徴とする請求項７に記載のベールゴムの吊り揚げ搬送装置。
【請求項９】
上記フレーム上に、ベールゴムに対して掴持装置を手動で誘導するための操作ハンドルを立設し、
該操作ハンドルは、箱状パレット内底に収容した吊り揚げ対象のベールゴム上に掴み爪格納ケースの爪出入り面を接触させる位置と、掴持したベールゴムを箱状パレット外に移動させ得る持ち上げ位置との間のいずれの位置に掴持装置あっても手動操作できる上下方向長さを有するものとし、
該操作ハンドルに、掴持装置の昇降機構による昇降、掴みシリンダによる掴み爪でのベールゴムの掴持及び掴持の開放を操作するための操作子の複数組を、該操作ハンドルの昇降位置に拘わらず操作できる位置に備えた、
ことを特徴とする請求項４〜８のいずれかに記載のベールゴムの吊り揚げ搬送装置。
【請求項１０】
上記掴み爪格納ケースに、掴み爪で掴持したベールゴムの昇降シリンダによる移載場所への押圧負荷を検知する圧接センサを備えると共に、上記昇降シリンダによるベールゴムの移載場所への圧接時に上記圧接センサに押し付けられる押圧突部を備え、
上記掴み爪によるベールゴムの掴持のための駆動機構の作動回路に、上記押圧突部が上記圧接センサに圧接したときの該圧接センサの出力により掴み爪の離脱を可能にする開放安全機構を配設し、
該開放安全機構を、上記掴み爪の離脱を可能にした状態での掴み解除操作子の操作で、上記掴み爪の駆動機構の作動回路を切り換えて掴み爪によるベールゴムの掴持動作の解除を可能にするものとした、
ことを特徴とする請求項４〜９のいずれかに記載のベールゴムの吊り揚げ搬送装置。
【請求項１１】
上記圧接センサを、掴み爪で掴持したベールゴムの昇降シリンダによる移載場所への押圧負荷を検知して動作する切換弁により構成し、
該切換弁の動作により出力されるパイロット流体圧を、上記掴み爪の駆動機構を構成する掴みシリンダへの流体圧の供給流路をベールゴムに刺入された掴み爪が離脱する方向に切り換える方向切換弁に導入するようにして、前記開放安全機構を構成させ、
上記方向切換弁が掴み爪を離脱させる方向に切り換えられた状態において、掴み解除操作子の操作で掴み爪によるベールゴムの掴持動作を解除する流路が形成されるものとした、
ことを特徴とする請求項１０に記載のベールゴムの吊り揚げ搬送装置。
【請求項１２】
吊り揚げ対象のベールゴムに対する掴み爪の刺入深さが、該ベールゴムの平均厚さの（１／４）〜（１／２）であり、刺入限度において、対向する一対の掴み爪の各先端における円弧状の中心軸線が水平に達することがなく、しかも、上記一対の掴み爪の各先端が相互に接触しない位置にある、
ことを特徴とする請求項４〜１１のいずれかに記載のベールゴムの吊り揚げ搬送装置。
【発明の詳細な説明】
【技術分野】
【０００１】
本発明は、ベール状に固められた生ゴムの取り扱い、特に、その吊り揚げ搬送を、軽快な操作性と安定的な把持操作によって行い、安全性を強化しながら生ゴム処理工程の省力化を図れるようにしたベールゴムの吊り揚げ搬送方法及びその装置に関するものである。
【背景技術】
【０００２】
従来から、国際規格のベールゴムの生産量の世界的伸張に伴い、輸送形態もバルクハンドリング化して対応するようになってきた。合成ゴムの生産初期は、プレスでベールに圧縮成形した合成ゴムを、低融点の薄いポリエチレンフィルムでラッピングして高積みしていたが、その場合、高積みの圧力で下段のベールゴムにコールドフローと呼称される変形が生じ、その変形でポリエチレンフィルムが破れてゴムがはみ出すことから、それを防ぐ強度を備えた３プライのクラフト紙袋に詰めて輸送することもあり、しかし、生の合成ゴムはパレット上へ１トン余りの多段積にするので、下段のベールゴムは上からの重量圧力により変形し、それにより紙袋を破って露出し、遂には段積み状態を崩して輸送が困難になることもあり、それを防止するために頑丈なクラフト紙袋が要求されていた。
【０００３】
しかしながら、特に、夏季の長距離輸送では、上記コールドフローによる変形が多発して、紙袋が破袋する事象の絶滅は至難であり、そこで木枠の箱形パレットが実用化されたが、木材資源の冗費対策、ゴム内への木屑異物混入防止の問題があるため、更に回収再生可能な金属性の箱状パレット内に、紙袋包装の無いフィルムラップのまま段積みする包装形態へと変革されてきた。そして、近時は、ベールゴムを組み立て式の薄い鋼板製の箱状パレットに収容して国際的に流通するのが一般的になっている。
【０００４】
この金属製の箱状パレットは、３５ｋｇのベールゴムの３０個（約１トン）を収容し、ゴムの加工工場では箱状パレットを３段積みして保管するケースが通例であり、このような保管ができるように設計されているが、パレットの側面の板を１枚でも外すと、高積みして保管する強度を喪失する。そして、ベールゴムを裁断や計量のために箱状パレットから取り出すときには、作業を容易化するために箱状パレットの１側面の板を取り外して中のベールゴムを取り出している。
【０００５】
しかし、この１側面の板を取り外した箱状パレットは、その外した板を再び元へ戻して再使用することに困難性がある。即ち、ベールゴムは箱状パレットの１側面の板を外したときに、それまで上部のベールゴムの重量圧力を蓄えてきた下段のベールゴムが、忽ち薄いポリエチレンフィルムの包装を破断して膨出を始めるため、組み立て式で側面の板を差し込む構造の箱状パレットでは、その中にベールゴムがある限り、取り外した板をリセットすることはできない。その結果、これまで３段積みされていた箱状パレットは、多段積み可能な強度を喪失し、１段の平置きするしか保管方法がなくなり、広い保管スペースが必要になってくる。
【０００６】
このような問題があるため、ゴムの加工工場では、箱状パレットを解体せずにベールゴムを取り出したいという要望が切実である。３５ｋｇのベールゴムを取り出す作業は、平パレット上からコンベヤーへ載せるだけでも連続作業となれば重労働で、腰痛障害を多発せしめている。２０ｋｇ以上の重量物を連続して人手で持ち運びする作業環境は労働法でも規制されており、また、合成ゴムメーカーでは３５ｋｇベールを半分に切断したベール形状の商品化も進めているが、段積み時の安定性に欠けるため、輸送に不適当と評価されている。この場合、ベールゴムの成形厚さ寸法を半分にすれば、上記段積みの安定性は解決するが、合成ゴム製造工程の生産能力は半減し、そしてこれまでの生産工程を改造するのには、多額の投資が不可避なため、容易に実現することができない。かかる現状が、ゴム加工工場でベールゴムを取り扱う簡便な装置の実用化が待望されて所以である。
【０００７】
これまで実用されてきたこの種作業用の省力機械としては、次のようなものがある。
まず、一般的な構造である「氷掴み」と称される鋼製の掴み具は、先端に互いに内向きの２個の爪を対向させた掴み腕を支点で交差させて軸着し、２個の掴み腕の力点にチェーンやワイヤーを掛けて引き揚げると、交差する２個の掴み腕がその先端の２個の爪で氷等を掴んで吊り下げ、容易に横移動することができるものである。これをベールゴムの取り扱いに利用したものも知られている。
【０００８】
しかし、上記「氷掴み」においては、大きな掴み腕でベールゴムの対向側面を挟む必要があるため、箱状パレット内で密着しているベールゴム間に「氷掴み」の掴み腕を喰い込ませるためには、手鉤でベールゴムを引き剥がして、掴み腕の入る空隙を作る作業が欠かせない。また、吊り下げ機構を可撓性のあるワイヤーやチェーンとする必要があるため、吊り下げて横移動するときに、重量のあるベールゴムが振り子になって揺動するために不安定であり、ベールゴムの保持とホイストの操作スイッチを扱うには、労力と熟練が要求される。
【０００９】
更に、前述したように、ベールゴムをポリエチレンフィルムでラッピングして箱状パレット内に収容した場合には、ベール同士がフィルムを介してとはいえ密着し合い、ベールゴムの変形を防ぎ切れず、そのため、従来から実用されている真空吸着式のリフターの真空吸盤の力では取り出すのは無理であり、箱状パレットの側板を外して取り出し作業が行われ、特に自動車部品などの多様なグレードのベールゴムを加工する工業用品ゴム工場では、保管面積の面から箱状パレットを解体せずにベールゴムを取り出せるツールが待望されてきた。
【００１０】
また、真空吸着式のハンド部を備え、昇降水平移動自在とした重量バランス機能付きの装置がある。これは、作業者がハンド部に装備された操作ハンドルを握り、大きな吸盤をベールゴムの中心表面に当てて真空作用の操作子を操作し、ベールゴムを吸盤に吸い付け、重量バランス機構で軽く持ち揚げできる装置である。このような装置が実用されているにも拘わらず、利便性の良い装置の出現が待望されているのは、以下に述べるように、必ずしも満足できるベールゴムの取り出しを行うことができないからである。
【００１１】
上記真空吸着式のハンド部を備えた装置では、「氷掴み」の不便さは解消されている。特に、ハンド部を構成する吸着パッドの操作ハンドルに吸着操作子があって、ハンドルでベールゴムを持ち上げる前に吸着できる点で有利である。ベールゴムの持ち揚げは、重量バランス構造の昇降水平移動装置のアームにハンド部が装着されているので、空間での姿勢維持安定性は良く、持ち揚げる力は昇降の誘導をする程度でよい。しかしながら、ベールゴムの表面が平滑でないと重量を支える真空度を保持できず、ベールゴムが持ち揚がらないという重大な弱点がある。薄いポリエチレンフィルムを吸着して、ベールゴム表面から該フィルムが剥離すると、該フィルムが破れてベールゴムは落下する。また、箱状パレットの中でベールゴム同士が密着していると、吊り揚げ力が不足して、手鉤で密着したベールゴム間を剥がさないと吊り揚げができない。箱状パレットの周囲の側板の高さは、概ね１．２ｍであり、ベールゴムを１０ベールほど取り出した後は、組み立て式の箱状パレットの一辺の側板を外さないと、ハンド部の吸着パッドがベールゴムに届かず、吸着操作ができなくなる。そのため、既存の装置では、いずれにしても箱状パレットを解体せずに中のベールゴムを取り出すのに困難性がある。
【発明の概要】
【発明が解決しようとする課題】
【００１２】
本発明の技術的課題は、基本的には、箱状パレットに収容され、相互に変形して密着しているようなベールゴム、またはそれに相当するような環境で保管されているベールゴムを搬送するに当たり、手鉤でベールゴム間を引き剥がして掴み腕の入る空隙を作る作業等を必要とすることなく、ベールゴムを上面から強固に掴持して、操作性良く容易に吊り揚げて取り出し、裁断機やコンベヤー等の目的位置へ移載できるようにした、ベールゴムの吊り揚げ搬送方法及びその装置を提供することにある。
本発明の他の技術的課題は、ベールゴムの吊り揚げ搬送を、搬送中に落としたりすることなく安全性を強化した安定的な把持操作によって行いながら、生ゴム処理工程の省力化を図れるようにしたベールゴムの吊り揚げ搬送方法及びその装置を提供することにある。
【課題を解決するための手段】
【００１３】
上記課題を解決するため、本発明によれば、吊り揚げ対象のベールゴムの上面に接する爪出入り面を下面側に備えた掴み爪格納ケース内に、基端側から先端側に向けて細径化して先端を尖らせると共に、中心軸線を回転駆動の軸線の周りで円弧状をなすように湾曲させてなる掴み爪の複数を、水平配置の上記回転駆動の軸線の周りにおいて、上記円弧状の中心軸線に沿う方向に回転駆動できるように支持させ、上記爪出入り面を吊り揚げ対象のベールゴム上に当てた状態で、駆動機構により上記複数の掴み爪をそれぞれ上記爪出入り面に設けた開口部を通して突出させ、該複数の掴み爪をベールゴムに対してその上面から上記円弧状の軌跡を描くように刺入して該ベールゴムを掴持させ、上記掴み爪で掴持したベールゴムを掴み爪格納ケースと共に昇降機構により持ち上げたうえで横移動する搬送機構により目的位置に移送することを特徴とするベールゴムの吊り揚げ搬送方法が提供される。
【００１４】
本発明に係る上記ベールゴムの吊り揚げ搬送方法の好ましい実施形態においては、上記掴み爪格納ケースにおける爪出入り面に、ベールゴムとの接触を検知する接触センサの検知端を設け、該接触センサがベールゴムとの接触によって発生する接触信号により、ベールゴムを掴持する駆動機構の作動回路における掴持安全機構を解除し、掴み操作子の操作で上記駆動機構による掴み爪の駆動を可能にして、該掴み爪によるベールゴムの掴持動作を安全に行わせるものとして構成される。
【００１５】
更に、本発明に係る上記ベールゴムの吊り揚げ搬送方法の他の好ましい実施形態においては、上記掴み爪格納ケースに、掴み爪で掴持したベールゴムの昇降シリンダによる移載場所への押圧負荷を検知する圧接センサ設け、昇降シリンダによるベールゴムの下降により、該圧接センサに対し掴み爪格納ケースにおける押圧突部が圧接することにより発生する掴持解除信号により、掴み爪によるベールゴムの掴持回路における開放安全機構を解除し、解放操作子の操作で上記駆動機構による掴み爪の掴み動作の解除を可能にして、該掴み爪によるベールゴムの掴持動作の解除を行わせるものとして構成される。
【００１６】
一方、上記課題を解決するため、本発明によれば、吊り揚げ対象のベールゴムを掴み爪により掴持する掴持装置を備え、該掴持装置における掴み爪格納ケースの下面側を、上記ベールゴムの掴持時にその上面に接する爪出入り面として、該爪出入り面に複数の掴み爪がそれぞれ出没する開口部を形成し、上記掴み爪格納ケース内において、基端側から先端側に向けて細径化して先端を尖らせると共に、その中心軸線を回転駆動の軸線の周りで円弧状をなすように湾曲させてなる掴み爪の複数を、水平配置の上記回転駆動の軸線の周りにおいて上記円弧状の中心軸線に沿う方向に回転するように支持させ、上記掴み爪の複数を、上記爪出入り面における上記開口部を通してベールゴムの上面から該ベールゴムを掴む態様で上記円弧状の軌跡を描くように刺入させるための掴み爪の駆動機構を、上記掴持装置のフレーム上に設け、上記掴持装置を、流体圧駆動の昇降シリンダからなる昇降機構を介して、それを横移動させる搬送機構に接続したことを特徴とするベールゴムの吊り揚げ搬送装置が提供される。
【００１７】
本発明に係る上記ベールゴムの吊り揚げ搬送装置の好ましい実施形態においては、上記複数対の掴み爪のそれぞれが、上記掴み爪格納ケース内に配設した水平配置の支持軸の周りで回転する駆動腕に、尖らせた先端が爪出入り面の開口部を通して突出したときに互いに対向するように配設され、該掴み爪の駆動機構が上記駆動腕を支持軸の周りで回転させるように動作させるものとして構成される。
【００１８】
本発明に係る上記ベールゴムの吊り揚げ搬送装置の他の好ましい実施形態においては、上記支持軸を、上記上記掴み爪格納ケース内の中央部に水平に架設して、上記掴み爪の複数対の駆動腕を支持させ、上記駆動機構を構成する掴みシリンダを、上記フレームに対して掴み爪の回転面と平行する平面内で回転自在に支持させると共に、該掴みシリンダのピストンロッドの先端を掴み爪の基端部に回転自在に連結したものとすることができる。
【００１９】
本発明に係る上記ベールゴムの吊り揚げ搬送装置の他の好ましい実施形態においては、上記掴み爪格納ケースにおける爪出入り面にベールゴムとの接触を検知する接触センサの検知端を配設すると共に、ベールゴムを掴持する掴み爪の駆動機構の作動回路に、該接触センサがベールゴムとの非接触時に、該作動回路を開いて掴み爪を不作動とする掴持安全機構を配設し、該掴持安全機構は、上記接触センサにより発するベールゴムとの接触信号により上記不作動を解除し、掴み操作子の操作で上記掴み爪の駆動機構の作動回路を閉じて掴み爪によるベールゴムの掴持動作を可能にするものとして構成される。
【００２０】
上記本発明のベールゴムの吊り揚げ搬送装置においては、上記接触センサを、上記爪出入り面に配設した検知端に対するベールゴムの接触を検知して動作する切換弁により構成し、該切換弁の動作により出力されるパイロット流体圧を前記接触信号として、上記掴み爪の駆動機構を構成する掴みシリンダへの流体圧の供給流路を、該掴み爪をベールゴムに刺入する方向に切り換える方向切換弁を備えることにより、前記掴持安全機構を構成させ、上記接触信号の出力状態において、掴み操作子の操作で掴み爪によるベールゴムの掴持動作を可能にする流路が形成されるものとすることができる。
【００２１】
本発明に係る上記ベールゴムの吊り揚げ搬送装置の他の好ましい実施形態においては、上記フレーム上に、ベールゴムに対して掴持装置を手動で誘導するための操作ハンドルを立設し、該操作ハンドルは、箱状パレット内底に収容した吊り揚げ対象のベールゴム上に掴み爪格納ケースの爪出入り面を接触させる位置と、掴持したベールゴムを箱状パレット外に移動させ得る持ち上げ位置との間のいずれの位置に掴持装置あっても手動操作できる上下方向長さを有するものとし、該操作ハンドルに、掴持装置の昇降機構による昇降、掴みシリンダによる掴み爪でのベールゴムの掴持及び掴持の開放を操作するための操作子の複数組を、該操作ハンドルの昇降位置に拘わらず操作できる位置に備えたものとして構成される。
【００２２】
本発明に係る上記ベールゴムの吊り揚げ搬送装置の他の好ましい実施形態においては、上記掴み爪格納ケースに、掴み爪で掴持したベールゴムの昇降シリンダによる移載場所への押圧負荷を検知する圧接センサを備えると共に、上記昇降シリンダによるベールゴムの移載場所への圧接時に上記圧接センサに押し付けられる押圧突部を備え、上記掴み爪によるベールゴムの掴持のための駆動機構の作動回路に、上記押圧突部が上記圧接センサに圧接したときの該圧接センサの出力により掴み爪の離脱を可能にする開放安全機構を配設し、該開放安全機構を、上記掴み爪の離脱を可能にした状態での掴み解除操作子の操作で、上記掴み爪の駆動機構の作動回路を切り換えて掴み爪によるベールゴムの掴持動作の解除を可能にするものとして構成される。
【００２３】
上記本発明のベールゴムの吊り揚げ搬送装置においては、上記圧接センサを、掴み爪で掴持したベールゴムの昇降シリンダによる移載場所への押圧負荷を検知して動作する切換弁により構成し、該切換弁の動作により出力されるパイロット流体圧を、上記掴み爪の駆動機構を構成する掴みシリンダへの流体圧の供給流路をベールゴムに刺入された掴み爪が離脱する方向に切り換える方向切換弁に導入するようにして、前記開放安全機構を構成させ、上記方向切換弁が掴み爪を離脱させる方向に切り換えられた状態において、掴み解除操作子の操作で掴み爪によるベールゴムの掴持動作を解除する流路が形成されるものとすることができる。
【００２４】
更に、本発明に係る上記ベールゴムの吊り揚げ搬送装置の他の好ましい実施形態においては、吊り揚げ対象のベールゴムに対する掴み爪の刺入深さが、該ベールゴムの平均厚さの（１／４）〜（１／２）であり、刺入限度において、対向する一対の掴み爪の各先端における円弧状の中心軸線が水平に達することがなく、しかも、上記一対の掴み爪の各先端が相互に接触しない位置にあるものとすることが望まれる。
【００２５】
上記構成を有するベールゴムの吊り揚げ搬送方法及び装置において、重要な機構である吊り揚げ対象の掴み機構は、単なる掴みではなく、ベールゴムの上面から該ベールゴム中に掴み爪を突き刺して吊り揚げる方式である。しかも、該掴み爪は、基端側から先端側に向けて細径化して先端を尖らせると共に、その中心軸線を掴持のための回転駆動の軸線の周りで円弧状をなすように湾曲させて、ベールゴム中へスムースに深く刺さり込むようにし、掴み爪が刺さった箇所のゴムが、自身の重量で壊れない深さに挿入できる形状に形成したものであり、また、該掴み爪がベールゴム内へ挿入される際に破る包装フィルムの細片を発生させず、掴み爪の挿入に伴ってフィルム等の異物を巻き込まない形状である点においても有利なものである。
【００２６】
更に、上記ベールゴムを掴む掴み爪は、上述のように鋭利な形状であるため、吊り揚げ対象のベールゴムの上面に接する掴み爪格納ケースの下面側の爪出入り面をベールゴムの上面に当てた状態で掴み操作子を操作しない限り、掴み爪は格納ケースから露出せず、作業者の手指に傷害を与えない格納構造と動作制御機構を備えるものである。また、掴んでいるベールゴムの搬送中に、掴み解除操作子に誤って触れることがあっても、ベールゴムから掴み爪が抜けない構成を備えているので、ベールゴムを搬送目的の場所へ移載したときでなければ掴持したベールゴムが落下するようなことはなく、この点でも作業者の安全が保たれることになる。
【発明の効果】
【００２７】
以上に詳述した本発明のベールゴムの吊り揚げ搬送方法及びその装置によれば、箱状パレットに収容され、相互に変形して密着しているようなベールゴム、またはそれに相当するような環境で保管されているベールゴムを搬送するに当たり、手鉤でベールゴム間を引き剥がして掴み腕の入る空隙を作る作業等を必要とすることなく、ベールゴムを上面から強固に掴持して、操作性良く容易に吊り揚げて取り出し、裁断機やコンベヤー等の目的位置へ移載することができる。また、ベールゴムの吊り揚げ搬送を、搬送中に落としたりすることなく安全性を強化した安定的な把持操作によって行いながら、生ゴム処理工程の省力化を図ることもできる。
【図面の簡単な説明】
【００２８】
【図１】本発明に係るベールゴムの吊り揚げ搬送装置をジブクレーン型搬送装置に適用した実施例の全体的構成を示す側面図である。
【図２】同平面図である。
【図３】本発明に係るベールゴムの吊り揚げ搬送装置をＸ−Ｙ平面の走行範囲において搬送するクレーン型搬送装置に適用した実施例の全体的構成を示す側面図である。
【図４】同平面図である。
【図５】ベールゴムの掴持装置における掴み爪が非突出の状態を示す拡大断面図である。
【図６】同掴み爪が掴み爪格納ケースから突出してベールゴムを掴持している状態を示す拡大断面図である。
【図７】図５の状態にある掴持装置の側面図である。
【図８】掴持装置において、各種操作子を付した操作ハンドルの付設状態を示す正面図である。
【図９】同側面図である。
【図１０】各種操作子により操作される空圧回路の回路図である。
【発明を実施するための形態】
【００２９】
本発明に係るベールゴムの吊り揚げ搬送装置は、前述したような組み立て式の箱状パレット５０に収容されたベールゴム５１、またはそれに相当するような環境で保管されているベールゴム５１を搬送の対象にするものである。この箱状パレット５０では、その内部に収容したベールゴム５１同士が密着し合って変形しているが、本発明におけるベールゴム５１の掴持装置７によれば、その密着したベールゴム５１を上面から刺入した複数の掴み爪８で掴持するので、ベールゴム５１間に掴み腕を喰い込ませるために手鉤でベールゴムを引き剥がして前記「氷掴み」の掴み腕の入る空隙を作るなどの剥がし関連作業を省力できるだけでなく、箱状パレット５０の側面の板を外したりして保管に支障を来すこともなくベールゴム５１を取り出せ、軽快なハンドリング操作性のある機械装置的ツールを提供することができる。
【００３０】
図１及び図２は、本発明に係るベールゴムの吊り揚げ搬送装置を、ジブクレーン型搬送装置３０に適用して使用する実施例の全体的な構成を示すものである。この吊り揚げ搬送装置は、固定的に立設した支柱３１の上部から、水平方向に突出させ、しかも、上記支柱３１に対する取付部３２を中心として図２に示すような広範囲内を手動で旋回できるように支持させたビーム３３をレールとし、それに沿って、４輪の車輪３５を有するトラバーサ３４を該レールの長手方向に移動自在として、ベールゴム５１の掴持装置７を横移動させる搬送機構を構成させている。
【００３１】
上記トラバーサ３４には、流体圧駆動の昇降シリンダ２からなる昇降機構を介して、ベールゴム５１の掴持装置７を支持させ、より具体的には、上記昇降シリンダ２はそのピストンロッド３の先端に取り付けた自在継ぎ手４を介してトラバーサ３４に連結し、トラバーサ３４の両脇に軸着した４輪の車輪３５を上記ビーム３３のレールに沿って走行できるように支持させている。このようにして、トラバーサ３４にベールゴム５１の掴持装置７を支持させ、その横移動による搬送を人手押しによって行うように構成する場合、上記昇降機構として流体圧駆動の昇降シリンダ２を用い、吊り支点となる昇降シリンダ２のピストンロッド３の先端を、レール上のトラバーサ３４にピンで軸着した構成とするのが、箱状パレット５０の側板の壁を越える程度の昇降距離でベールゴム５１を吊り出す場合に、安定した操作性を得るために有効であり、特に、吊り支点から下部が昇降シリンダ２により強固な直線状を保持する構造を確保できることが、操作性の安定のために有効なものである。
【００３２】
また、トラバーサ３４に対する昇降シリンダ２の取り付けは、上述のように該昇降シリンダ２のピストンロッド３の先端を自在継ぎ手４を介して連結しているが、これによって吊下される掴持装置７は、それに設けた後述する操作ハンドル１２（図３参照）の手動操作により鉛直軸周りで３５０°の往復旋回を可能にしている。その旋回は、昇降シリンダ２のピストンがシリンダボディ２ａ内のピストン室において旋回可能であることに依存しているが、他の旋回機構を別設してもよい。
なお、図１においては、掴持装置７により箱状パレット５０内のベールゴム５１を掴持する状態、及びそれを搬送する状態等を併記している。
【００３３】
一方、図３及び図４は、本発明に係るベールゴム５１の吊り揚げ搬送装置を、Ｘ−Ｙ方向レール４１，４２によって形成した平面状の走行範囲において搬送するＸ−Ｙ走行型のクレーン型搬送装置４０に適用した実施例の全体的構成を示すものである。
このクレーン型搬送装置４０では、建屋内の上部に架設した２条の平行するＸ方向レール４１と、該Ｘ方向レール４１上にＸ方向に走行自在に懸架させたＹ方向レール４２とを備え、上記Ｙ方向レール４２に沿って、前記ジブクレーン型搬送装置３０におけるトラバーサ３４と同様な構成のトラバーサ４３を走行させるものである。該トラバーサ４３に対し、流体圧駆動の昇降シリンダ２からなる昇降機構を介して、ベールゴム５１の掴持装置７を支持させる構成は、前記ジブクレーン型搬送装置３０の場合と実質的に変わるところがない。
【００３４】
なお、上記クレーン型搬送装置４０において、上記Ｙ方向レール４２はトラバーサ４３を該レール上で走行させるので、必要があれば、該トラバーサ４３上面に吊環を固定して、該吊環にＹ方向に通したワイヤーをＹ方向レール４２の両端間に張り、地震時の揺れその他のトラブルで、トラバーサ４３がＹ方向レール４２から脱落するのを防止することができる。更に、Ｙ方向レール４２の両端に吊環を固定し、２条のＸ方向レール４１の上にそれぞれワイヤーを張って該吊環に通せば、同様にＹ方向レール４２の脱落を防止することができる。
また、上記両搬送装置３０，４０において、レール上を走行するトラバーサ３４或いは４３とピストンロッド３の先端に取り付けたブラケットとの間をワイヤーやチェーンで連結しておけば、トラバーサとピストンロッドとを連結する自在継ぎ手に破壊事故が起きても昇降シリンダ２や掴持装置７の全体が落下する危険を避けることができる。
【００３５】
次に、上記搬送装置３０，４０において用い得るベールゴム５１の吊り揚げ装置について詳細に説明する。
上記吊り揚げ装置を構成する昇降機構は、流体圧駆動、望ましくは空気圧駆動の昇降シリンダ２により構成され、該昇降シリンダ２におけるピストンロッド３の先端を、上述の図１〜図４に示す搬送装置等のトラバーサ３４または４３に、傾動自在の自在継ぎ手４を介して吊下し、図５〜図７に示すように、該昇降シリンダ２におけるシリンダボディ２ａにフレーム５を介して、ベールゴム５１の掴持装置７等を取り付けできるように構成している。
【００３６】
上記フレーム５に取り付けられてベールゴム５１を複数の掴み爪８によって掴持する掴持装置７は、概略的には、上記掴み爪８を安全性の保持のためにカバーする掴み爪格納ケース９、上記掴み爪８をベールゴム５１の掴持やその開放のために駆動する一対の掴みシリンダ１０、掴持装置７の手動による移動の誘導に供する操作ハンドル１２等を備えるものである。
そして、上記操作ハンドル１２には、掴み爪８で掴持したベールゴム５１の昇降シリンダ２による吊り揚げや降下、掴みシリンダ１０による掴み爪８でのベールゴム５１の掴持及び該掴持の開放等を操作するための数種類の操作子を備えている。
【００３７】
上記昇降シリンダ２にフレーム５を介して取り付けられるベールゴム５１の掴持装置７は、上記フレーム５に取り付けた掴み爪格納ケース９の下面側に、該ベールゴム５１の吊り揚げのための掴持に際して該ベールゴム５１の上面に当接させる平坦な爪出入り面９ａを備え、該掴み爪格納ケース９内に、掴み爪８の複数対が水平配置の支持軸１１の周りにおける回転駆動によりベールゴム５１を掴持できるように支持され、それらを上記一対の掴みシリンダ１０からなる駆動機構によって回転駆動できるように構成している。上記掴み爪格納ケース９は、上記爪出入り面９ａに、複数の掴み爪８がそれぞれ出没する開口部９ｂを形成したものである。上記掴み爪格納ケース９の爪出入り面９ａは、それを箱状パレット５０内のベールゴム５１の上面に当接させるためには、掴み爪格納ケース９及びそれを支持する昇降シリンダ２の平面形状が、一般的なベールゴム５１の平面形状よりも小さいものであることが必要である。
【００３８】
上記掴み爪８は、丸鋼棒の基端側から先端側に向けて直径を次第に細径化して先端を尖らせると共に、その中心軸線Ｌを、一定曲率半径の円弧状をなすように湾曲させ、また、望ましくはその表面を平滑な鏡面に研磨することにより異物の付着を防止し、ベールゴム５１の掴持に際してその異物がベールゴム５１内に混入するのを防止できるように形成される。
上記複数対の掴み爪８のそれぞれは、上記掴み爪格納ケース９内の中央部に水平に架設した支持軸１１の周りで回転する複数対の駆動腕１３に支持させ、該支持軸１１の軸線の周りの円周に沿って上記曲率半径の中心軸線Ｌが位置するようにして、即ち、回転駆動の軸線の周りで上記円弧状をなすように湾曲させた状態で駆動腕１３に取り付け、しかも、対をなす掴み爪８の尖らせた各先端が、上記掴み爪格納ケース９の下面側の爪出入り面９ａにそれぞれ設けた開口部９ｂを通してベールゴム５１内に突出したときに、互いに対向するように配設されている。
【００３９】
上記掴み爪８の駆動は、該掴み爪８の駆動機構である掴みシリンダ１０を、上記フレーム５に対して軸１０ｂにより掴み爪８の回転面と平行する平面内で回転自在に支持させると共に、該掴みシリンダ１０のピストンロッド１０ａの先端を、上記駆動腕１３に取り付けている掴み爪８の基端に回転自在に連結し、掴みシリンダ１０のピストンロッド１０ａの駆動により上記駆動腕１３を支持軸１１の廻りで回転させ、それに伴って、駆動腕１３に取り付けている掴み爪８を支持軸１１の周りにおいて上記掴み爪８の円弧状湾曲の中心軸線Ｌに沿う方向に回転させるものである。そのため、上記掴み爪８の複数は、上記爪出入り面９ａにおける上記開口部９ｂを通してベールゴム５１の上面から該ベールゴム５１を掴む態様で上記円弧状の軌跡を描くように刺入されることになる。
【００４０】
なお、図示の実施例では、上記掴み爪格納ケース９内に配設した水平配置の単一の支持軸１１の周りで回転する左右２対の駆動腕１３の先端に爪先を対向配置させた掴み爪８をそれぞれ取り付け、結果的にベールゴム５１をその平面視四隅において掴み爪８で保持するようにしていて、このような掴み爪８の配置は簡単な構成で安定的にベールゴムを掴持するために非常に有効なものではあるが、該支持軸１１は単一である場合に限られるものではなく、平行する一対の支持軸１１として、同方向に回転させる駆動腕１３をそれぞれの支持軸１１に支持させることもできる。また、上記掴み爪８は、図示の実施例のようにその複数対が正対する方向からベールゴムに刺入してそれを掴持する場合に限るものではなく、正対しない方向からベールゴム５１に刺入して掴持する構成とすることもできる。更に、上記図示の実施例では駆動腕１３を水平配置の支持軸１１に支持させているが、該支持軸を設けることなく、リンク機構その他の駆動力伝達機構等によって、円弧状に湾曲した掴み爪を、ベールゴム５１を掴む態様で上記円弧状の軌跡を描く方向に駆動するように構成することもできる。
【００４１】
上述したような掴み爪８を用いて吊り揚げ対象のベールゴム５１を安定的に掴持するための該ベールゴムに対する掴み爪８の刺入深さは、主として該ベールゴム５１の厚さによって相違するが、一般的には、搬送しようとするベールゴム５１の平均厚さの（１／４）〜（１／２）が適切である。なお、上記掴み爪８の刺入態様は、刺入限度において対向する一対の掴み爪８の各先端における円弧状の中心軸線Ｌが水平に達することがなく、しかも、上記一対の掴み爪の各先端が相互に接触しない位置にあるのが適切である。
【００４２】
上記ベールゴム５１を掴む掴み爪８は、前述のように鋭利な形状を有しているため、その掴持装置７自体に、ベールゴム５１の上面に掴み爪格納ケース９の爪出入り面９ａを当てた状態で掴み操作しない限り、掴み爪８が格納ケース９から突出しないように形成して、作業者の手指等に損傷を与えない掴持安全機構を装備させる必要がある。
上記掴持安全機構を装備させるため、上記掴持装置７においては、掴み爪格納ケース９における爪出入り面９ａを平面状として、該爪出入り面９ａにベールゴム５１との接触を検知するための突子状の接触センサ１５の検知端１５ａを弾性的に出没可能に配設し、この検知端１５ａがベールゴム５１の上面との接触により後退して接触センサ１５を動作させ、それが発する接触信号により、掴み爪８を駆動する掴みシリンダ１０の作動回路が、後記掴みの操作子で掴み爪８によるベールゴム５１の掴持を可能にする状態に切換えられるように構成している。
【００４３】
図１０を参照して更に具体的に説明すると、ベールゴム５１を掴持する掴み爪８の駆動機構である掴みシリンダ１０の作動回路には、該掴みシリンダ１０におけるヘッド側圧力室１０ｈとロッド側圧力室１０ｒのいずれに圧力流体を供給・排出するかを切り換える方向切換弁１４を設けて、該接触センサ１５の検知端１５ａがベールゴム５１に非接触のときには、該接触センサ１５を構成する切換弁が閉じられているので、上記方向切換弁１４は掴みシリンダ１０のロッド側圧力室１０ｒ及びヘッド側圧力室１０ｈの圧力流体が共に封じられて出入りのない切換位置に保持される。一方、昇降シリンダ２による掴持装置７の降下により、接触センサ１５の検知端１５ａがベールゴム５１に圧接しているベールゴム５１との接触時には、接触センサ１５を構成する切換弁が開いた状態になり、そのため、一対の操作子（掴み用）２１のいずれかまたは双方を押圧して、接触センサ１５を構成する切換弁を通して送られるパイロット流体圧により上記方向切換弁１４を切り換え、該方向切換弁１４を、それに対する空気圧力源２６からの圧力流体の流れが昇降シリンダ２のヘッド側圧力室１０ｈに流入すると同時に、ロッド側圧力室１０ｒの圧力流体が速度制御弁２８を通して排出されるような切換位置に保つことにより、掴持動作を行わせることができ、即ち、上記方向切換弁１４を掴みシリンダ１０の作動回路に設けることにより掴持安全機構を構成させている。
【００４４】
従って、上記掴み爪格納ケース９の爪出入り面９ａがベールゴム５１と接触していないときには、上記接触センサ１５の検知端１５ａが爪出入り面９ａから突出した状態にあって、接触センサ１５は接触信号を出力しない状態にあり、掴み爪８を駆動する掴みシリンダ１０の作動回路が、上記掴みの操作子を操作しても掴みシリンダ１０を動作させることはなく、作業者の安全が確保される。
なお、上記掴持安全機構の詳細な動作については、図１０を参照して更に後述する。
【００４５】
また、上記掴持装置７では、掴んでいるベールゴムの搬送中に、後述の掴み解除操作子に誤って触れることがあった場合に、掴み爪８がベールゴム５１から抜け出すことになると、作業者に不測の危険を与えることになる。そのため、ベールゴム５１を搬送目的の場所へ移載したときでなければ掴持したベールゴムが落下することがないように、作業者の安全を保つための掴持の開放安全機構を装備させる必要がある。
この開放安全機構を掴持装置７に装備させるため、上記掴み爪格納ケース９内には、掴み爪８で掴持したベールゴム５１の昇降シリンダ２による移載場所への押圧負荷を、上記掴み解除操作子の押圧を有効とするか無効とするかの信号として検知する圧接センサ１６を備えると共に、上記昇降シリンダ２のシリンダボディ２ａの降下によるベールゴム５１の移載場所への圧接時に、上記圧接センサ１６に対して弾性的に押し付けられる押圧突部１６ａを備え、これにより、上記圧接センサ１６に押圧突部１６ａが弾性的に押し付けられて、掴み爪８の離脱を可能にした状態での掴み解除操作子の操作のみにより、上記掴み爪８の駆動機構である掴みシリンダ１０の作動回路を通して掴み爪８によるベールゴムの掴持動作の解除を可能にするものとしている。
【００４６】
更に具体的に説明すると、上記開放安全機構は、掴み爪８によるベールゴム５１の掴持のための掴みシリンダ１０の作動回路に、上記押圧突部１６ａが上記圧接センサ１６に圧接したときの該圧接センサ１６を構成する切換弁の出力により、掴みシリンダ１０におけるヘッド側圧力室１０ｈとロッド側圧力室１０ｒのいずれに圧力流体を供給・排出するかを切り換える前記方向切換弁１４を設けることにより構成され、該方向切換弁１４を上記圧接センサ１６の出力により掴み爪８の離脱を可能にする側の流路に切り換え、前記掴み解除操作子の押圧を有効として、掴みシリンダ１０への流体圧の供給流路をベールゴム５１に刺入された掴み爪８が離脱する方向に切り換えるようにするものである。
なお、図１０中のセンサ１７は予備的なもので、このセンサ１７によっても、安全性、操作性を配慮した同種の駆動制御を行わせることができる。
【００４７】
また、上記掴持装置７のフレーム５上には、図８及び図９に明瞭に示すように、ベールゴム５１に対して掴持装置７を手動で誘導するための左右一対の操作ハンドル１２を立設している。該操作ハンドル１２は、掴持装置７の昇降動作・掴み動作・横移動操作を人が容易に行えるような上下方向長さを有するものである。また、該操作ハンドル１２には、以下に詳述するように、掴みシリンダ１０による掴み爪８でのベールゴム５１の掴持及び該掴持の開放、掴持装置７の昇降シリンダ２による昇降を操作するための操作子２１〜２４の複数組（実施例では２組）を設けているが、これらの操作子２１〜２４は、図示しているように、操作ハンドル１２の中間位置に設けた操作部１２ａの上下に各一組ずつ設けるのが望ましい。
【００４８】
一般に１．２ｍ程度の深さを有する深い箱状パレット５０内に収容した吊り揚げ対象のベールゴム５１上に掴み爪格納ケース９の爪出入り面９ａを接触させる下降位置と、掴持したベールゴム５１を箱状パレット５０の側面の壁を越えてその外側に移動させ得る持ち上げ位置との間のいずれの位置に掴持装置７あっても、容易に手動操作できるものである必要があることから、図８及び図９に示すように、同一機能の上記操作子２１〜２４の複数組を設けるのが望ましいが、それらの配列は、現実的に使用しやすい態様に設定することができ、また、操作の確実性を確保する必要がある操作子（例えば操作子２１，２２）などについては左右の操作ハンドル１２に設けた操作子のＡＮＤ出力によりその操作が行われるようにするなど、安全性、操作性を考慮したものとすることもできる。
【００４９】
次に、主として図１０を参照し、上記ベールゴムの吊り揚げ搬送装置の動作について説明する。
該ベールゴムの吊り揚げ搬送は、基本的には、上記爪出入り面９ａを吊り揚げ対象のベールゴム５１上に当てた状態で、駆動機構により上記複数の掴み爪８をそれぞれ上記爪出入り面９ａに設けた開口部９ｂを通して突出させ、該複数の掴み爪８をベールゴム５１に対してその上面から円弧状に湾曲した掴み爪８の中心軸線Ｌに沿ってその円弧状の軌跡を描くように刺入して該ベールゴムを掴持させ（図５及び図６参照）、それを昇降機構により持ち上げたうえで横移動する搬送機構により手動で目的位置に移送するものである。
【００５０】
箱状パレット５０内に収容したベールゴム５１を掴持して搬送する場合には、例えば、図１及び図２に示すジブクレーン型搬送装置３０等において、作業者が掴持装置７の操作ハンドル１２を手動操作して、掴持しようとするベールゴム５１の中央部へ該掴持装置７における掴み爪格納ケース９を誘導したうえで、操作ハンドル１２の操作子（降下用）２４を押すと、該操作子２４で操作される手動弁の流路が開放され、その流路を流れるパイロット流体により切換弁２４ａが切換えられ、昇降シリンダ２のロッド側圧力室２ｒとヘッド側圧力室２ｈとが、上記切換弁２４ａ及び速度制御弁２５を介して連通するので、昇降シリンダ２のシリンダボディ２ａ及びそれに連結された掴持装置７の重量で、昇降シリンダ２におけるロッド側圧力室２ｒが加圧され、該圧力室２ｒの圧力流体が速度制御弁２５で制御されてヘッド側圧力室１０ｈに送られ、それに伴い、掴み爪格納ケース７の下面の爪出入り面９ａが箱状パレット５０内のベールゴム５１上面に接触するまで該掴み爪格納ケース７が降下する。
【００５１】
このように、操作子（降下用）２４を押すことにより掴み爪格納ケース９がベールゴム５１に押し付けられた状態にすると、接触センサ１５の検知端１５ａがベールゴム５１に接触して掴み爪格納ケース９内へ弾性的に押し込まれ、検知端１５ａの押圧によって接触センサ１５を構成する切換弁から掴みシリンダ１０の両圧力室１０ｈ，１０ｒに対する流路を切り換えるところの方向切換弁１４を動作させ、その結果、該方向切換弁１４が掴み爪８をベールゴム５１に刺入できる状態に設定される。そのため、左右の操作ハンドル１２における操作子（掴み用）２１のいずれかまたは双方を押せば、掴み爪８が掴み爪格納ケース７から突出してベールゴム５１に刺入される。
なお、掴み爪格納ケース７が確実にベールゴム５１に圧接されず、接触センサ１５がベールゴム５１に押し付けられていないときは、誤操作で掴み操作子２１を押しても、掴み爪８が出ることはなく、作業者の手指等に傷を与えることはない。
【００５２】
ベールゴム５１が掴み爪８により掴持された状態では、操作ハンドル１２における操作子（掴み用）２１から指を離して操作子（上昇用）２３を押すと、切換弁２３ａが切換えられ、昇降シリンダ２のヘッド側圧力室２ｈが外部に開放され、ロッド側圧力室２ｒの圧力流体の作用により、ベールゴム５１を掴んだ状態で掴持装置７が箱状パレット５０の側面の壁を越えて吊り揚げられるので、操作ハンドル１２を操作して任意の位置へ手押し搬送することができる。例えば、吊り揚げたベールゴム５１をコンベヤへ積載するのであれば、ベールゴム５１の下面がコンベヤに接して、フレーム５に対する掴み爪格納ケース９の連結部において圧接センサ１６に対して押圧突部１６ａが弾性的に押し付けられると、それに伴って上記圧接センサ１６を構成する切換弁が切り換えられ、ベールゴム５１が安定的にコンベヤに載置されたことが検知されたときに、操作子（掴持解除用）２２を押すと、掴みシリンダ１０が掴み爪８を後退させる方向に動作して、ベールゴム５１の掴持が解除される。
【００５３】
以上に詳述したゴムベールの吊り揚げ搬送装置においては、動力によって機械的に駆動されるのが昇降シリンダ２及び掴みシリンダ１０のみであり、これらは格別大きな動力を必要とするものではないので、駆動源として圧縮空気のみを用いた簡単な構成とするのが望ましく、稼働のための空圧消費量は、上記シリンダの動作回数次第ではあるが、極く微量な動力エネルギーに留めることができる。
【００５４】
また、上記空圧回路を有するゴムベールの吊り揚げ搬送装置においては、昇降シリンダ２や掴みシリンダ１０への圧力空気の給排系において圧力空気の漏れが発生したり、その供給が途絶したりしたときに、掴持装置７によりベールゴム５１を吊り下げていたとしても、一気に重量物であるベールゴムや掴持装置が落下することはなく、徐々にシリンダストローク端まで下がり、危険な状態が生じることはない。
【００５５】
なお、図１０の空圧回路において、符号２６は圧力空気源、２７は切換弁２４ａの動作時を除いて昇降シリンダ２のロッド側圧力室２ｒの圧力空気の排出を抑止することにより掴持装置７を吊り揚げ状態に保持するチェック弁、２８は掴みシリンダ１０のロッド側及びヘッド側の圧力室から排出される圧力空気の排出速度を抑えることにより掴み爪８の急速な動きを抑制し、危険を防止する速度制御弁である。
【符号の説明】
【００５６】
２      昇降シリンダ
２ａ    シリンダボディ
２ｈ    ヘッド側圧力室
２ｒ    ロッド側圧力室
３      ピストンロッド
４      自在継ぎ手
５      フレーム
７      掴持装置
８      掴み爪
９      掴み爪格納ケース
９ａ    爪出入り面
９ｂ    開口部
１０      掴みシリンダ
１０ａ    ピストンロッド
１０ｂ    軸
１０ｈ    ヘッド側圧力室
１０ｒ    ロッド側圧力室
１１      支持軸
１２      操作ハンドル
１２ａ    操作部
１３      駆動腕
１４      方向切換弁
１５      接触センサ
１５ａ    検知端
１６      圧接センサ
１６ａ    押圧突部
１７      センサ
２１〜２４    操作子
２５      速度制御弁
２６      圧力空気源
２７      チェック弁
２８      速度制御弁
３０      ジブクレーン型搬送装置
３１      支柱
３２      取付部
３３      ビーム
３４      トラバーサ
３５      車輪
４０      クレーン型搬送装置
４１      Ｘ方向レール
４２      Ｙ方向レール
４３      トラバーサ
５０      箱状パレット
５１      ベールゴム
【図１】
2015196580.tif 000003
【図２】
2015196580.tif 000004
【図３】
2015196580.tif 000005
【図４】
2015196580.tif 000006
【図５】
2015196580.tif 000007
【図６】
2015196580.tif 000008
【図７】
2015196580.tif 000009
【図８】
2015196580.tif 000010
【図９】
2015196580.tif 000011
【図１０】
2015196580.tif 000012